(57)【要約】【課題】本発明は、取り扱いの簡便なプロンプター装置を提供する【解決手段】本発明のプロンプター装置１０は、ハーフミラー１２と液晶パネル１４とが収納された箱体１６にテレビカメラ１８を収納し、ハーフミラー１２と液晶パネル１４とからなるプロンプターとテレビカメラ１８とを箱体１６を介して一体的に取り扱うようにしたので、運搬が容易になるとともにセッティング作業及び取り外し作業が不要になる。また、プロンプター装置１０では、テレビカメラ１８及び雲台３６を支持する壁板３８が箱体１６に対して開閉及び／又は着脱自在に設けられているので、テレビカメラ１８や雲台３６のメンテナンス時に壁板３８を箱体１６から開放し又は取り外すことにより、そのメンテナンスを容易に行うことができる。【選択図】  図２
2006352246.tif 000002
【特許請求の範囲】
【請求項１】
ハーフミラーと該ハーフミラーに映像を投影する表示部とが箱体に収納されてなるプロンプター装置において、
前記箱体にカメラが収納されていることを特徴とするプロンプター装置。
【請求項２】
前記カメラは、前記箱体を構成する壁板に支持され、該壁板は前記箱体に開閉自在に支持されていることを特徴とする請求項１に記載のプロンプター装置。
【請求項３】
前記カメラを支持する前記壁板は、前記箱体の背面を構成する壁板であることを特徴とする請求項２に記載のプロンプター装置。
【請求項４】
前記カメラは、前記箱体に着脱自在に支持されていることを特徴とする請求項１に記載のプロンプター装置。
【請求項５】
前記カメラは、雲台を介してパン方向及びチルト方向に移動自在に前記箱体に支持されていることを特徴とする請求項１、２、３又は４のうちいずれか一つに記載のプロンプター装置。
【請求項６】
前記箱体は、走行部に支柱を介して設けられていることを特徴とする請求項１、２、３、４又は５のうちいずれか一つに記載のプロンプター装置。
【発明の詳細な説明】
【技術分野】
【０００１】
本発明はプロンプター装置に係り、特にハーフミラーとこのハーフミラーに映像を投影する表示部とが収納された箱体を有するプロンプター装置に関する。
【背景技術】
【０００２】
特許文献１には、ハーフミラーとこのハーフミラーに映像を投影する液晶パネルとが箱体に収納されてなるプロンプターが開示されるとともに、このプロンプターが三脚の支持台に設置され、且つ、プロンプターの前記箱体から延設された基台にテレビカメラが設置されたプロンプター装置が開示されている。
【０００３】
このプロンプター装置によれば、液晶パネルに表示された原稿等の映像は、液晶パネルの上方に位置するハーフミラーに投影され、これによってハーフミラーの前方に位置する講演者はハーフミラーの後方に配置されたテレビカメラによって撮影されながらハーフミラーに投影された原稿映像を読むことにより講演することができる。
【０００４】
一方、図５には自立走行型のプロンプター１が示されている。このプロンプター１はハーフミラー２と液晶パネル３とが収納された箱体４を、走行部５に立設された支柱６の上部に固定することにより構成されている。箱体４の背面には、テレビカメラ７のレンズ装置８を挿入する開口部が形成されている。このように構成されたプロンプター１は、まず、プロンプター１を講演者の対面位置に移動し、次に、プロンプター１の後方に、三脚９に雲台９Ａを介して支持されたテレビカメラ７を配置するとともに、テレビカメラ７のレンズ装置８を箱体４の開口部から箱体４に挿入することにより使用される。
【特許文献１】特開２００２−２７２８８号公報
【発明の開示】
【発明が解決しようとする課題】
【０００５】
しかしながら、特許文献１及び図５に示したプロンプター装置は、プロンプターとカメラとが別体構成であるために、プロンプターとカメラとを別々に運搬、セッティング、取り外し等の煩雑な作業を行わなければならず、取り扱いに非常に手間がかかるという欠点があった。
【０００６】
本発明は、このような事情に鑑みてなされたもので、取り扱いの簡便なプロンプター装置を提供することを目的とする。
【課題を解決するための手段】
【０００７】
請求項１に記載の発明は、前記目的を達成するために、ハーフミラーと該ハーフミラーに映像を投影する表示部とが箱体に収納されてなるプロンプター装置において、前記箱体にカメラが収納されていることを特徴としている。
【０００８】
請求項１によれば、ハーフミラーと表示部とが収納された箱体にカメラを収納し、ハーフミラーと表示部とからなるプロンプターとカメラとを箱体を介して一体的に取り扱うようにしたので、運搬が容易になるとともにセッティング作業及び取り外し作業が不要になる。よって、取り扱いが簡便なプロンプター装置を提供できる。
【０００９】
プロンプターの表示部は、箱体の底面部に表示面を上方に向けて配置されるとともに、この表示部の上方にハーフミラーが約４５度の角度に傾斜して配置されている。したがって箱体は、ハーフミラーの前方に位置する壁面が切除された略立方体形状に一般的に形成されている。このような形状の箱体において、ハーフミラーと箱体の内壁面とで囲まれる空間（三角柱形状の空間）はデッドスペースとして従来から存在しており、本発明はこのデッドスペースに着目し、そこにカメラを配置した。最近のカメラ及び雲台は小型化が図られており、よって、箱体のサイズを大サイズに変更することなく既存の大きさの箱体にカメラ、雲台を収納することができる。
【００１０】
請求項２に記載の発明は、請求項１において、前記カメラは、前記箱体を構成する壁板に支持され、該壁板は前記箱体に開閉自在に支持されていることを特徴としている。
【００１１】
請求項３に記載の発明は、請求項２において、前記カメラを支持する前記壁板は、前記箱体の背面を構成する壁板であることを特徴としている。
【００１２】
請求項４に記載の発明は、請求項１において、前記カメラは、前記箱体に着脱自在に支持されていることを特徴としている。
【００１３】
請求項２によれば、箱体を構成する壁板にカメラが支持され、この壁板は箱体に開閉自在に設けられているので、カメラのメンテナンス時に壁板を箱体から開放することにより、カメラのメンテナンスを容易に行うことができる。また、この壁板は請求項３の如く、箱体の背面を構成する壁板である。一方、カメラは請求項４の如く、箱体に着脱自在に設けられていればよい。
【００１４】
請求項５に記載の発明は、請求項１、２、３又は４のいずれか一つに記載の発明において、前記カメラは、雲台を介して前記カメラ支持部材にパン方向及びチルト方向に移動自在に支持されていることを特徴としている。
【００１５】
請求項５によれば、雲台に一般的に設けられているパン軸及びチルト軸を回転させることによりカメラの位置を変更できるので、被写体に対するカメラの位置を調整することができる。
【００１６】
請求項６に記載の発明は、請求項１、２、３、４又は５のうちいずれか一つに記載の発明において、前記箱体は、走行部に支柱を介して設けられていることを特徴としている。
【００１７】
請求項６によれば、箱体を走行部に支柱を介して設けた、自立走行型のプロンプター装置としたので、プロンプター装置の運搬が非常に容易になり、好みの位置にプロンプター装置を容易に配置することができる。
【発明の効果】
【００１８】
以上説明したように本発明に係るプロンプター装置によれば、ハーフミラーと表示部とが収納された箱体にカメラを収納し、ハーフミラーと表示部とからなるプロンプターとカメラとを箱体を介して一体的に取り扱うようにしたので、取り扱いが簡便になる。
【発明を実施するための最良の形態】
【００１９】
以下添付図面に従って、本発明に係るプロンプター装置の好ましい実施の形態について詳説する。
【００２０】
図１は、実施の形態に係るプロンプター装置１０の正面図、図２は図１に示したプロンプター装置１０の右側面図である。これらの図に示すプロンプター装置１０は、ハーフミラー１２とハーフミラー１２に映像を投影する液晶パネル（表示部）１４とが収納された箱体１６を有している。この箱体１６にはテレビカメラ（カメラ）１８が収納され、テレビカメラ１８の撮影レンズ２０がハーフミラー１２に対向配置されることにより、ハーフミラー１２を透過した被写体像がテレビカメラ１８によって撮影される。
【００２１】
また、プロンプター装置１０は、複数のキャスタ２２、２２…を備えた走行部２４を有し、この走行部２４の台板２６上に支柱２８が立設されるとともに支柱２８上に箱体１６が固定されることにより構成されている。このプロンプター装置１０によれば、走行部２４を備えることにより自走型として構成され、支柱２８上に箱体１６が固定されることにより自立型して構成されている。したがって、プロンプター装置１０の運搬が非常に容易になり、好みの位置にプロンプター装置１０を容易に配置することが可能となる。また、支柱２８は、台板２６に固定された基柱３０に対してテレスコープ式に上下移動する昇降柱３２から構成され、昇降柱３２の高さ位置がエア圧によって調整可能となっている。
【００２２】
プロンプター装置１０の液晶パネル１４は、箱体１６の底面部に表示面を上方に向けて配置されるとともに、液晶パネル１４の上方にハーフミラー１２が約４５度の角度に傾斜して配置されている。このような配置に基づき箱体１６は、ハーフミラー１２の前方に位置する壁面が切除された略立方体形状に形成されている。この形状の箱体１６において、ハーフミラー１２と箱体１６の内壁面とで囲まれる空間（三角柱形状の空間）３４はデッドスペースであり、この空間３４にテレビカメラ１８及び雲台３６が収納配置されている。なお、テレビカメラ１８及び雲台３６の双方を収納することに限定されるものではなく、テレビカメラ１８のみ収納しても差し支えない。
【００２３】
雲台３６は図３の如く、箱体１６の背面の一部を構成するＬ字形状の壁板３８に台座４０を介して支持される。なお、テレビカメラ１８のみ収納する場合には、テレビカメラ１８を台座４０を介して壁板３８に支持させればよい。
【００２４】
壁板３８は、箱体１６の背面にヒンジ４２を介して開閉自在に設けられ、開放することによりテレビカメラ１８及び雲台３６が図３の如く箱体１６の外部に取り出される。また、壁板３８を閉鎖することにより、テレビカメラ１８及び雲台３６が図２の如く箱体１６の空間３４に収納される。なお、図３において符号４４は、壁板３８に設けられた係合部であり、この係合部４４を箱体１６の天面に形成された係合部４６に係合させることにより、箱体１６の背面開口部が閉鎖されるとともに壁板３８が箱体１６の背面の一部となる。なお、壁板３８は、箱体１６に開閉自在に設けることなく、図４の如く箱体１６に対して着脱自在に設けてもよい。また、テレビカメラ１８自体を箱体１６に対して着脱自在に設けてもよい。
【００２５】
図３の如く雲台３６は、パン軸４８が台座４０に固定され、チルト軸５０がテレビカメラ１８に固定されている。したがって、雲台３６に内蔵されたパン用モータ（不図示）が回転駆動され、パン軸４８を中心に雲台３６がパン方向に回転されると、テレビカメラ１８の水平方向位置が調整される。また、雲台３６に内蔵されたチルト用モータ（不図示）が回転駆動され、チルト軸５０が回転されると、テレビカメラ１８の傾斜角度が調整される。このようにテレビカメラ１８を雲台３６により移動可能とすることにより、被写体に対するテレビカメラ１８の位置を微調整することができる。
【００２６】
雲台３６は、コネクタ５２に接続されるケーブル（不図示）を介してコントローラ（不図示）に接続され、コントローラからの駆動信号に基づいて前記パン用モータ及びチルト用モータが駆動制御される。よって、雲台３６はコントローラによって遠隔制御され、これによってテレビカメラ１８の位置が微調整される。なお、図１において符号５４は、箱体１６の両側面に設けられた把手である。また、符号５６は、ケーブルフックであり、雲台３６を遠隔制御するための前記ケーブルがケーブルフック５６に掛けられる。
【００２７】
次に、このように構成されたプロンプター装置１０の作用について説明する。
【００２８】
まず、実施の形態のプロンプター装置１０は、ハーフミラー１２と液晶パネル１４とが収納された箱体１６にテレビカメラ１８を収納し、ハーフミラー１２と液晶パネル１４とからなるプロンプターとテレビカメラ１８とを箱体１６を介して一体的に取り扱うことができる。これにより、プロンプター装置１０の運搬が容易になるとともに、セッティング作業及び取り外し作業が不要になる。よって、取り扱いが簡便なプロンプター装置１０となる。
【００２９】
また、プロンプター装置１０では、テレビカメラ１８及び雲台３６を支持する壁板３８が箱体１６に対して図３の如く開閉、また図４の如く着脱自在に設けられているので、テレビカメラ１８や雲台３６のメンテナンス時に壁板３８を箱体１６から開放し又は取り外すことにより、そのメンテナンスを容易に行うことができる。
【００３０】
更に、プロンプター装置１０では、雲台３６も収納したので、雲台３６のパン軸４８及びチルト軸５０を駆動することによりテレビカメラ１８の位置を変更できる。したがって、被写体に対するテレビカメラ１８の位置を微調整することができる。
【図面の簡単な説明】
【００３１】
【図１】実施の形態のプロンプター装置の全体正面図
【図２】図１に示したプロンプター装置の右側面図
【図３】箱体の壁板が開放された例を示すプロンプター装置の側面図
【図４】箱体の壁板が取り外された例を示すプロンプター装置の側面図
【図５】従来のプロンプター装置の一例を示した全体側面図
【符号の説明】
【００３２】
１０…プロンプター装置、１２…ハーフミラー、１４…液晶パネル、１６…箱体、１８…テレビカメラ、２０…撮影レンズ、２２…キャスタ、２４…走行部、２８…支柱、３４…空間、３６…雲台、３８…壁板、４０…台座、４２…ヒンジ、４８…パン軸、５０…チルト軸
【図１】
2006352246.tif 000003
【図２】
2006352246.tif 000004
【図３】
2006352246.tif 000005
【図４】
2006352246.tif 000006
【図５】
2006352246.tif 000007